(57)【要約】      （修正有）【課題】室外吸込温センサーを、安価な構成で確実に固定できる空気調和機を提供する。【解決手段】圧縮機１、熱交換器２およびファン（図示せず）によって構成される冷凍サイクルを内蔵した室外機４と、外気温度を検出する室外吸込温センサ５と、前記室外吸込温センサ５で検知された外気温度に応じて空気調和機の運転を制御する電子制御装置部３と、前記室外機４の背面に設けられ、前記熱交換器２への手接触防止と前記室外機４の筐体４ａの支持を兼ねた網９とを備え、前記室外吸込温センサ５と、そのリード線部６を筒状の被覆７に収納して室外吸込温センサ完成品１５とし、前記室外吸込温センサ完成品１５の先端部８を、前記熱交換器２に対向し、吸込まれる外気の送風経路上の前記熱交換器２の外側面に平行にして、前記網９にバンド１０で締結したもので、保護カバー等の別部品が不用になり、部品点数の削減と、コスト低減が実現できる。【選択図】図１
2006125712.tif 000002
【特許請求の範囲】
【請求項１】
圧縮機、熱交換器およびファンによって構成される冷凍サイクルを内蔵した室外機と、外気温度を検出する室外吸込温センサと、前記室外吸込温センサで検知された外気温度に応じて空気調和機の運転を制御する電子制御装置部と、前記室外機の背面に設けられ、前記熱交換器への手接触防止と前記室外機の筐体の支持を兼ねた網とを備え、前記室外吸込温センサと、そのリード線部を筒状の被覆に収納して室外吸込温センサ完成品とし、前記室外吸込温センサ完成品の先端部を、前記熱交換器に対向し、吸込まれる外気の送風経路上の前記熱交換器の外側面に平行にして、前記網にバンドで締結した空気調和機。
【請求項２】
圧縮機、熱交換器およびファンによって構成される冷凍サイクルを内蔵した室外機と、外気温度を検出する室外吸込温センサと、前記室外吸込温センサで検知された外気温度に応じて空気調和機の運転を制御する電子制御装置部と、前記室外機の背面に設けられ、形状的に通風抵抗が小さく、かつ前記熱交換器への手接触防止と前記室外機の筐体の支持を兼ねた板とを備え、前記室外吸込温センサと、そのリード線部を筒状の被覆に収納して室外吸込温センサ完成品とし、前記室外吸込温センサ完成品の先端部を、前記熱交換器に対向し、吸込まれる外気の送風経路上の前記熱交換器の外側面に平行に保持する保持部を前記板に一体に設けた空気調和機。
【発明の詳細な説明】
【技術分野】
【０００１】
本発明は、空気調和機に関するもので、特に室外吸込温センサー取付け構造に関するものである。
【背景技術】
【０００２】
従来の空気調和機の室外吸込温センサーの取付け構造について、図４に基づき説明する。
【０００３】
図４は、従来の室外吸込温センサーの取付け部の拡大概要図である。
【０００４】
図４（ａ）、（ｂ）、（ｃ）に示すように、空気調和機の室外側の熱交換器１０１と、前記熱交換器１０１に向け外気を吸い込む吸込口（図示せず）を備えた室外機（図示せず）において、この吸込口から吸い込まれる外気の温度を検出する室外吸込温センサ１０２のセンサ止め具１０３の一例を示している。室外吸込温センサ１０２が検出する外気の温度情報により、空気調和機は制御されるため、外気の温度を正確に検出することが望まれる。
【０００５】
これを満足させるのに、前記センサ止め具１０３は、熱交換器１０１への装着部１０４と、前記装着部１０４が前記熱交換器１０１に装着されたとき、熱交換器１０１の外気吸込側に位置するように前記装着部１０４と連結された保護カバー１０５とを備え、前記保護カバー１０５は、前記室外吸込温センサ１０２を少なくとも前記熱交換器１０１側の壁１０５ａとの間に空間１０６を設けて収容し保持する。
【０００６】
したがって、前記装着部１０４が図５の（ａ）、（ｂ）、（ｃ）に示すように室外側の熱交換器１０１に装着されると、前記保護カバー１０５は熱交換器１０１の外気吸込側にて室外吸込温センサ１０２を収容し保持することができる。その結果、前記室外吸込温センサ１０２は、吸込口に近くフィルタ１０７を介して、あるいはこれを外して手などによる外力を受けやすいが、前記保護カバー１０５が、前記室外吸込温センサ１０２のまわりを覆っているので、前記室外吸込温センサ１０２を不用意な外力から保護し、また、位置ずれさせられるようなことを防止することができる（例えば、特許文献１参照）。
【特許文献１】特開平１０−２２７４９０号公報
【発明の開示】
【発明が解決しようとする課題】
【０００７】
しかしながら、上記従来の空気調和機の構成では、外気温を検出し温度判定して空調機制御を行なうための室外吸込温センサ１０２を固定する際に、別部品であるセンサ止め具１０３を別途必要とする構造であるため、その分の部品点数、取り付け工数が増え、コスト高に繋がるという課題を有していた。
【０００８】
本発明は、室外吸込温センサーを少ない部品点数、組み立て工数で取り付けられ、製造コストの低減を図った空気調和機を提供することを目的とするものである。
【課題を解決するための手段】
【０００９】
上記従来の課題を解決するために、本発明の空気調和機は、圧縮機、熱交換器およびファンによって構成される冷凍サイクルを内蔵した室外機と、外気温度を検出する室外吸込温センサと、前記室外吸込温センサで検知された外気温度に応じて空気調和機の運転を制御する電子制御装置部と、前記室外機の背面に設けられ、前記熱交換器への手接触防止と
前記室外機の筐体の支持を兼ねた網とを備え、前記室外吸込温センサと、そのリード線部を筒状の被覆に収納して室外吸込温センサ完成品とし、前記室外吸込温センサ完成品の先端部を、前記熱交換器に対向し、吸込まれる外気の送風経路上の前記熱交換器の外側面に平行にして、前記網にバンドで締結したもので、保護カバー等の別部品が不用になるのえ、部品点数の削減と、コスト低減が実現できる。
【００１０】
また、本発明の空気調和機は、圧縮機、熱交換器およびファンによって構成される冷凍サイクルを内蔵した室外機と、外気温度を検出する室外吸込温センサと、前記室外吸込温センサで検知された外気温度に応じて空気調和機の運転を制御する電子制御装置部と、前記室外機の背面に設けられ、形状的に通風抵抗が小さく、かつ前記熱交換器への手接触防止と前記室外機の筐体の支持を兼ねた板とを備え、前記室外吸込温センサと、そのリード線部を筒状の被覆に収納して室外吸込温センサ完成品とし、前記室外吸込温センサ完成品の先端部を、前記熱交換器に対向し、吸込まれる外気の送風経路上の前記熱交換器の外側面に平行に保持する保持部を前記板に一体に設けたもので、更なる部品点数の削減とコスト合理化を実現することができる。
【発明の効果】
【００１１】
本発明の空気調和機は、室外吸込温センサを少ない部品点数、組み立て工数で、確実に固定することができ、固定部でビビリ音が発生することもない。
【発明を実施するための最良の形態】
【００１２】
第１の発明は、圧縮機、熱交換器およびファンによって構成される冷凍サイクルを内蔵した室外機と、外気温度を検出する室外吸込温センサと、前記室外吸込温センサで検知された外気温度に応じて空気調和機の運転を制御する電子制御装置部と、前記室外機の背面に設けられ、前記熱交換器への手接触防止と前記室外機の筐体の支持を兼ねた網とを備え、前記室外吸込温センサと、そのリード線部を筒状の被覆に収納して室外吸込温センサ完成品とし、前記室外吸込温センサ完成品の先端部を、前記熱交換器に対向し、吸込まれる外気の送風経路上の前記熱交換器の外側面に平行にして、前記網にバンドで締結したもので、保護カバー等の別部品が不用になるので、部品点数の削減と、コスト低減が実現できる。
【００１３】
第２の発明は、特に、圧縮機、熱交換器およびファンによって構成される冷凍サイクルを内蔵した室外機と、外気温度を検出する室外吸込温センサと、前記室外吸込温センサで検知された外気温度に応じて空気調和機の運転を制御する電子制御装置部と、前記室外機の背面に設けられ、形状的に通風抵抗が小さく、かつ前記熱交換器への手接触防止と前記室外機の筐体の支持を兼ねた板とを備え、前記室外吸込温センサと、そのリード線部を筒状の被覆に収納して室外吸込温センサ完成品とし、前記室外吸込温センサ完成品の先端部を、前記熱交換器に対向し、吸込まれる外気の送風経路上の前記熱交換器の外側面に平行に保持する保持部を前記板に一体に設けたもので、更なる部品点数の削減とコスト合理化を実現することができる。
【００１４】
以下本発明の実施の形態について、図面を参照しながら説明する。なお、この実施の形態によって本発明が限定されるものではない。
【００１５】
（実施の形態１）
図１は、本発明の第１の実施の形態における空気調和機の室外機の後面斜視図、図２は、同室外機に取り付けられた室外吸込温センサ完成品の拡大断面図である。
【００１６】
図１、２において、本実施の形態における空気調和機は、室内に配される室内機（図示せず）と、室外に設置され前記室内機と接続される室外機４からなり、室外機４には、圧
縮機１と熱交換器２およびファン（図示せず）によって構成された冷凍サイクルと、空気調和機の運転を制御（以下、空調機制御）する電子制御装置部３が配されている。
【００１７】
５は、室外機４が設置された場所における外気の温度（以下、外気温）を検出する室外吸込温センサで、電子制御装置部３に電気的に接続され、室外吸込温センサ５で検出された外気温に基づき、電子制御装置部３で空調機制御を行うようにしている。
【００１８】
図２に示すように、室外吸込温センサ５と、室外吸込温センサ５と電子制御装置部３とを結ぶリード線部６を、筒状で先端が開口した被覆７内に収納して室外吸込温センサ完成品１５とし、室外吸込温センサ完成品１５の先端部８を、前記熱交換器２に対向し、吸込まれる外気の送風経路上の前記熱交換器２の外側面に平行に配し、前記熱交換器２に手が接触するのを防止すると共に室外機４の筐体４ａの支持を兼ねた樹脂あるいは金属製の網９に、被覆７の先端開口が下に向くように直接引っ掛けた後、バンド１０で締結して保持するようにしたものである。
【００１９】
前記網９は、室外機４の背面に位置する背面パネル１１および側面パネル１２の面にてネジ等で支持されている。
【００２０】
以上のように、本実施の形態によれば、室外吸込温センサ完成品１５の先端部８を、吸込まれる外気の送風経路上の樹脂あるいは金属製の網９の交差する位置に、直接引っ掛け、バンド１０による締結のみで保持することができる。また、室外吸込温センサ完成品１５内のリード線部６を保護する筒状の被覆７により、前記熱交換器２からの熱輻射による室外吸込温センサ５の温度検知誤差発生が抑制され、熱交換器２の外側から室外機４内部に向かって流れる送風経路上のある程度の流速がある外気は、前記被覆７の下向き開口部より取り込まれることで、温度検知が行われる。その結果、バンド１０による固定のみで別部品の止め具などは不要となり、部品点数削減によるコスト合理化が図れる。
【００２１】
（実施の形態２）
図３は、本発明の第２の実施の形態における空気調和機の要部斜視図である。なお、上記第１の実施の形態と同一部分については、同一符号を付してその説明を省略する。
【００２２】
本実施の形態は、図３に示すように、熱交換器２の外側に、形状的に通風抵抗が少なくなるように工夫された樹脂あるいは金属製の板１３を設け、その板１３の一部に、溝１４ａを有する保持部１４を一体に形成し、室外吸込温センサ完成品１５の先端部８を、熱交換器２に対向し、吸込まれる外気の送風経路上の前記熱交換器２の外側面に平行になるようにした上で、保持部１４の溝１４ａに装着して保持するようにしたものである。
【００２３】
上記構造によれば、室外吸込温センサ完成品１５を、吸込まれる外気の送風経路に具備され、通風抵抗が少なくなるように工夫された樹脂あるいは金属製の前記板１３の一部に、一体に設けた保持部１４にて保持するようにしたので、更なる部品点数の削減が図れ、更なるコスト合理化を可能にできる。
【産業上の利用可能性】
【００２４】
以上のように、本発明にかかる空気調和機は、止め具などの別部品を必要とせず、室外機への室外吸込温センサーの取付ができるので、部品点数削減によるコスト合理化が可能なため、大規模、小規模に関わらず各種センサを有する電気電子部品関連やプラント関連等の用途にも適用できる。
【図面の簡単な説明】
【００２５】
【図１】本発明の実施の形態１における空気調和機の室外機の後面斜視図
【図２】同室外機に取り付けられた室外吸込温センサ完成品の拡大断面図
【図３】本発明の実施の形態２における空気調和機の要部斜視図
【図４】（ａ）従来の空気調和機の室外吸込温センサ取り付け部の断面図（ｂ）同室外吸込温センサ取り付け部の正面図（ｃ）同室外吸込温センサ取り付け部の断面図
【符号の説明】
【００２６】
１    圧縮機
２    熱交換器
３    電子制御装置部
４    室外機
４ａ  筐体
５    室外吸込温センサ
６    リード線部
７    被覆
８    先端部
９    網
１０    バンド
１３    板
１４    保持部
１５    室外吸込温センサ完成品
【図１】
2006125712.tif 000003
【図２】
2006125712.tif 000004
【図３】
2006125712.tif 000005
【図４】
2006125712.tif 000006